(57)【要約】【課題】ジョブを開始してからの処理量に応じた操作機能を操作キーを増やすことなくユーザに提供することができる画像処理装置を提供する。【解決手段】複合機はジョブを開始すると（Ｓ１０１）、ジョブを開始した時点を基準に時間の計測を開始し（Ｓ１０２）、ストップキーが押下されると（Ｓ１０３；Ｙｅｓ）、ジョブを開始してからの経過時間が閾値以上であるか否かを判断する（Ｓ１０５）。閾値未満の場合には（Ｓ１０５；Ｎｏ）、ジョブを停止する（Ｓ１０６）。閾値以上の場合には（Ｓ１０５；Ｙｅｓ）、ジョブの進行状況を確認し（Ｓ１１１）、現時点でジョブの設定が変更できるか否かを判断する（Ｓ１１２）。変更可能である場合には（Ｓ１１２；Ｙｅｓ）、ジョブを停止せずに現時点で変更可能な設定項目を抽出して表示し（Ｓ１１３／Ｓ１１４）、変更を受け付ける。【選択図】図３
2010028372.tif 000002
【特許請求の範囲】
【請求項１】
画像データの処理を行うジョブに対する操作を受け付ける操作キーと、
前記操作キーを前記ジョブの開始から所定時間が経過するまでは第１の機能で動作させ、前記所定時間の経過後は第２の機能で動作させる制御部と、
を備える
ことを特徴とする画像処理装置。
【請求項２】
前記第１の機能は、前記ジョブを停止させるまたは削除する機能であり、
前記第２の機能は、前記ジョブの設定に対する変更操作を受け付ける状態へ遷移させる機能である
ことを特徴とする請求項１に記載の画像処理装置。
【請求項３】
前記制御部は、前記所定時間の経過後に前記操作キーの操作を受けた時点における前記ジョブの進行状況に応じて、前記変更操作を受け付ける項目を変更する
ことを特徴とする請求項２に記載の画像処理装置。
【請求項４】
前記変更操作を受け付ける前記ジョブの設定は、前記画像データの出力処理を含むジョブにおける出力部数と、出力先と、出力方式との少なくとも一つを含む
ことを特徴とする請求項２または３に記載の画像処理装置。
【請求項５】
前記出力処理は、前記画像データに対応する画像を印刷して出力する印刷処理と、前記画像データを出力先に保存する保存処理と、前記画像データを出力先に送信する送信処理との少なくとも一つを含む
ことを特徴とする請求項４に記載の画像処理装置。
【請求項６】
原稿の画像を読み取って画像データを取得する読取部を備え、
前記ジョブは、前記読取部により前記原稿の画像を読み取って画像データを取得する読取処理を含むジョブである
ことを特徴とする請求項１乃至５のいずれか１つに記載の画像処理装置。
【発明の詳細な説明】
【技術分野】
【０００１】
本発明は、画像データの処理を行うジョブに対する操作を受け付ける操作キーに複数の機能を持たせている画像処理装置に関する。
【背景技術】
【０００２】
複写機やファクシミリ機などは、ジョブに対する各種の操作を受け付ける複数の操作キーを備えている。たとえば、処理中のジョブを手動停止させるために設けられたストップキーは、コピーやファクシミリ送信における原稿のスキャン中に押下すると、ジョブをキャンセルしたり、スキャンを一時停止してジョブのキャンセルや再開を受け付ける状態へ遷移させたりするように機能する。ユーザはこのストップキーを、スキャン開始後に設定の誤りに気が付いたときなどに、ジョブの緊急停止やキャンセルを行うために使用している。
【０００３】
また、１つの操作キーに複数の機能を持たせている場合もある。たとえば、特許文献１には、ストップキーとしての機能とクリアキーとしての機能とを兼ね備えたストップ／クリアキーが記載されている（段落番号［００３４］および図４などを参照）。このストップ／クリアキーは、ジョブの設定画面で押下した場合は選択項目の設定値をクリアするように機能させ、コピーレディ画面で押下した場合はコピー部数をクリアするように機能させ、ステータスメニュー画面の基本画面で押下した場合は処理中のジョブにおける印刷出力を一時停止させて一時停止ジョブリスト画面を表示しジョブのキャンセルや再開を受け付ける状態へ遷移させるように機能させ、スキャン中に押下した場合はそのスキャン中のコピージョブまたは送信ジョブをキャンセルしてレディ画面を表示するように機能させている（図１などを参照）。
【０００４】
特許文献２に記載されているストップキーは、原稿のスキャン中に押下した場合はスキャン動作を中断させるように機能させ、ファクシミリ送信中に押下した場合は送信動作を中断させるように機能させている（段落番号［００３５］〜［００３７］および図１２などを参照）。
【０００５】
このように、ストップキーに複数の機能を持たせることもあるが、この場合も原稿のスキャンを含むジョブ（コピージョブやファクシミリ送信ジョブなど）の処理中に押下すると、ジョブをキャンセルしたり、スキャンを一時停止してジョブのキャンセルや再開を受け付ける状態へ遷移させたりするように機能している。
【０００６】
しかし、スキャン完了までに時間がかかる枚数の多い原稿束などでは、大量のスキャンをほぼ終えているときなどにストップキーの押下によってジョブをキャンセルしなければならなくなると、その大量スキャンのやり直しによる大幅な時間のロスが発生してしまい不便である。そこで、ストップキーを押下したときに処理中のジョブをキャンセルせず、設定変更を受け付けるようにしている場合もある。
【０００７】
たとえば、上記特許文献２の場合、ファクシミリ送信中のストップキー押下では、送信中のファクシミリ送信を中断して送信予約リストを表示し、送信予約内容の訂正（予約解除や宛先訂正）を受け付けたり（図３、図４、図９などを参照）、送信中のファクシミリ送信は継続し次のファクシミリ送信を中断して送信予約リストを表示し、送信予約内容の訂正を受け付けたりするようにしている（図１０、図１１などを参照）。
【０００８】
特許文献３に記載されているストップキーは、ファクシミリ送信における原稿のスキャン中に押下すると、原稿のスキャンおよび画像データのメモリへの蓄積を一時中断して、初期化動作は実行せずに送信予約内容の訂正を受け付けるように機能させたり（ストア・アンド・フォワード方式の場合：段落番号［０００６］、［００１２］、［００１９］、および図２などを参照）、原稿のスキャンおよび画像データのメモリへの蓄積を継続して、初期化動作は実行せずに送信予約内容の訂正を受け付けるように機能させたりしている（画像データの蓄積と送信予約内容の訂正とを並列処理できる場合：段落番号［００２２］、［００２３］を参照）。
【０００９】
【特許文献１】特開２００８−１８６２２号公報
【特許文献２】特開平７−２５０２２７号公報
【特許文献３】特開平６−６４９９号公報
【発明の開示】
【発明が解決しようとする課題】
【００１０】
特許文献１および２の技術では、１つの操作キーに持たせた複数の機能が装置の状態に依存して切り替えられるようになっている。上述したように、特許文献１では、ストップ／クリアキーに持たせた複数の機能がジョブの設定中、レディ中、印刷出力中、スキャン中で切り替えられるようになっている。特許文献２では、ストップキーに持たせた２つの機能（スキャン中断機能と送信中断機能）がスキャン完了の前後（スキャン中とファクシミリ送信中）で切り替えられるようになっている。
【００１１】
これに対し、ジョブの処理量はジョブを開始してからの経過時間に依存しており、時間の進行に伴い増加する。そのため、ジョブ開始後の経過時間が長くなるほど、ジョブを途中でキャンセルしてやり直す場合の再処理量が多くなり、ユーザに与える負担（ストレス）や無駄（ロス）が大きくなる。
【００１２】
たとえば、原稿のスキャンでは、スキャン開始後の経過時間が長くなるほど、スキャンを途中でキャンセルしてやり直すときの再スキャン量が多くなる。スキャン開始後の経過時間が短いうちであれば、これまでのスキャンをキャンセルして最初からやり直したとしても、再スキャンに要する時間は短いため負担や無駄は小さくて済む。しかし、長い時間を掛けて行った大量スキャンを最初からやり直すことになると、再スキャンに要する時間は長くなるため負担や無駄（時間の浪費）が大きくなってしまう。
【００１３】
したがって、ストップキーがジョブの一時停止機能やキャンセル機能の他に、設定変更を受け付ける状態へ遷移させる機能を有していたとしても、それらの機能を装置の状態に依存して切り替えることは好ましくないこともある。
【００１４】
たとえば、特許文献２に記載されているようなスキャン完了の前後で、ジョブのキャンセル機能と設定変更を受け付ける状態へ遷移させる機能とを切り替えるように構成したとしても、大量スキャンの完了間近でストップキーを押下したような場合には、そのジョブはキャンセルされてしまい、ほぼ終えていた大量スキャンを最初からやり直さなければならなくなるため、ユーザに大きな負担や無駄を与えてしまうことになる。
【００１５】
また、特許文献３の技術では、スキャン中にストップキーを押下すると、常にジョブの設定変更を受け付ける状態へ遷移させるように動作するため、ジョブをキャンセルまたは再開するための特別な制御や操作方法を加える（段落番号［００２３］を参照）、あるいは、ジョブをキャンセルするためのジョブキャンセルキーを別途設けるなどの必要がある。
【００１６】
いずれにしても、特許文献１〜３では、スキャン中はストップキーの機能を固定させている。また特許文献１や２では、ストップキーに持たせた複数の機能を装置の状態に応じて切り替えるようにしている。したがって、ジョブを開始してからの処理量（経過時間）に応じて操作キーの機能を切り替えたり、ジョブを開始してからの処理量に応じた操作機能を操作キーに持たせてユーザに提供したりするようなことは考慮されていない。
【００１７】
本発明は、上記の問題を解決しようとするものであり、ジョブを開始してからの処理量に応じた操作機能を操作キーを増やすことなくユーザに提供することができる画像処理装置を提供することを目的としている。
【課題を解決するための手段】
【００１８】
かかる目的を達成するための本発明の要旨とするところは、次の各項の発明に存する。
【００１９】
［１］画像データの処理を行うジョブに対する操作を受け付ける操作キーと、
前記操作キーを前記ジョブの開始から所定時間が経過するまでは第１の機能で動作させ、前記所定時間の経過後は第２の機能で動作させる制御部と、
を備える
ことを特徴とする画像処理装置。
【００２０】
上記発明では、画像データの処理を行うジョブに対する操作を受け付ける操作キーを、ジョブの開始から所定時間が経過するまでは第１の機能で動作させ、所定時間の経過後は第２の機能で動作させる。このように、ジョブを開始してからの経過時間に応じて操作キーの機能を切り替えることにより、ジョブを開始してからの処理量（経過時間）に応じた操作機能を操作キーを増やすことなくユーザに提供することができる。
【００２１】
［２］前記第１の機能は、前記ジョブを停止させるまたは削除する機能であり、
前記第２の機能は、前記ジョブの設定に対する変更操作を受け付ける状態へ遷移させる機能である
ことを特徴とする［１］に記載の画像処理装置。
【００２２】
上記発明では、ジョブの開始から所定時間が経過するまでは、操作キーに対する操作でジョブが停止または削除される。所定時間の経過後は、操作キーに対する操作で画像処理装置がジョブの設定に対する変更操作を受け付ける状態へ遷移する。この状態遷移により、処理中のジョブ、あるいは、待機中や予約されているジョブなどの設定を変更できるようになる。また、処理中のジョブは、状態遷移に伴い一時停止してもよく、状態遷移にかかわらず続行してもよい。
【００２３】
［３］前記制御部は、前記所定時間の経過後に前記操作キーの操作を受けた時点における前記ジョブの進行状況に応じて、前記変更操作を受け付ける項目を変更する
ことを特徴とする［２］に記載の画像処理装置。
【００２４】
上記発明では、ジョブの開始から所定時間の経過後に操作キーの操作を受けた場合に、その時点におけるジョブの進行状況に応じて、変更操作を受け付ける項目を変更する。たとえば、操作キーを操作した時点でのジョブの進行状況によっては、ジョブの設定の中で変更可能な項目と変更不可能な項目とが存在する場合がある。このような場合は変更可能な項目のみ変更操作を受け付けるようにすることで、変更不可能な項目に対して無駄な操作が行われるようなことを回避できる。これにより、ジョブの設定を変更する上での操作性や利便性が向上する。
【００２５】
［４］前記変更操作を受け付ける前記ジョブの設定は、前記画像データの出力処理を含むジョブにおける出力部数と、出力先と、出力方式との少なくとも一つを含む
ことを特徴とする［２］または［３］に記載の画像処理装置。
【００２６】
上記発明では、ジョブの開始から所定時間の経過後に操作キーを操作して、画像データの出力処理を含むジョブにおける出力部数の変更や、出力先の変更（追加や削除も含む）や、出力方式の変更を行うことができる。
【００２７】
［５］前記出力処理は、前記画像データに対応する画像を印刷して出力する印刷処理と、前記画像データを出力先に保存する保存処理と、前記画像データを出力先に送信する送信処理との少なくとも一つを含む
ことを特徴とする［４］に記載の画像処理装置。
【００２８】
上記発明では、ジョブの開始から所定時間の経過後に操作キーを操作して、画像データに対応する画像を印刷して出力する印刷処理を行うジョブや、画像データを出力先に保存する保存処理を行うジョブや、画像データを出力先に送信する送信処理を行うジョブに対して、出力部数の変更や、出力先の変更や、出力方式の変更を行うことができる。
【００２９】
［６］原稿の画像を読み取って画像データを取得する読取部を備え、
前記ジョブは、前記読取部により前記原稿の画像を読み取って画像データを取得する読取処理を含むジョブである
ことを特徴とする［１］乃至［５］のいずれか１つに記載の画像処理装置。
【００３０】
上記発明では、原稿の画像を読み取って画像データを取得する読取処理を含むジョブに対し、操作キーはジョブの開始から所定時間が経過するまでは第１の機能で動作し、所定時間の経過後は第２の機能で動作する。第１の機能がジョブを停止させるまたは削除する機能であり、第２の機能がジョブの設定に対する変更操作を受け付ける状態へ遷移させる機能である場合には、ジョブの開始から所定時間が経過するまでは、操作キーを操作することで上記ジョブを停止または削除することができる。ジョブの開始から所定時間の経過後は、操作キーを操作することで上記ジョブの設定を変更することができる。
【発明の効果】
【００３１】
本発明の画像処理装置によれば、ジョブを開始してからの処理量に応じた操作機能を操作キーを増やすことなくユーザに提供することができる。これにより、ユーザは１つの操作キーを操作するだけで、処理が開始されたジョブに対し操作時点での処理量に応じた適切な操作機能を使用できるようになる。したがって、処理が開始されたジョブに対して操作を行う上での操作性や利便性が向上する。
【発明を実施するための最良の形態】
【００３２】
以下、図面に基づき本発明の実施の形態を説明する。
【００３３】
図１は、本発明の実施の形態に係る複合機（ＭＦＰ；Multi Function Peripheral/Multi Function Printer）１０の概略構成を示している。複合機１０は、原稿のコピー機能、プリンタ機能、スキャナ機能、ファクシミリ機能、電子メール機能（メール送受信機能）、ファイル送信機能、ＢＯＸ機能、外部メモリへのデータ保存機能などを備えたデジタル複合機と呼ばれる装置（画像処理装置）である。また、入力された認証情報に基づいてユーザ認証を行う機能（ユーザ認証機能）を備えている。
【００３４】
プリンタ機能としては、パーソナルコンピュータなどのクライアント端末から依頼された印刷を無認証で行うほかに、ユーザを認証してからその認証ユーザにより指定された印刷を行う認証印刷機能（認証プリント機能）などを備えている。
【００３５】
ファクシミリ機能としては、スキャンデータなどを公衆回線を通じてファクシミリ送受信するほかに、電子メールに添付してインターネットを通じて送受信するインターネットファクシミリ機能（Ｉ−ＦＡＸ機能）などを備えている。
【００３６】
ファイル送信機能としては、スキャンデータを電子メールに添付して送信するScan to E-mail機能、スキャンデータをクライアント端末に送信して保存するScan to ＳＭＢ（Server Message Block）機能、スキャンデータをＦＴＰ（File Transfer Protocol）サーバに送信して保存するScan to ＦＴＰ機能などを備えている。
【００３７】
ＢＯＸ機能におけるＢＯＸとは、ユーザ別やグループ別、テーマ別などにカテゴリ分けして設けられたファイルの格納場所である。ＢＯＸ機能は、スキャンデータなどのファイルをこのＢＯＸ毎に保存して管理する機能である（Scan to ＢＯＸ機能）。
【００３８】
複合機１０は、制御部としてのＣＰＵ（Central Processing Unit）１１に、バス１２を介してＲＯＭ（Read Only Memory）１３と、ＲＡＭ（Random Access Memory）１４と、不揮発メモリ１５と、ハードディスク装置１６（図中では「ＨＤＤ」（Hard Disk Drive）と表記）と、操作表示部１７と、ユーザ認証入力部１８と、ファクシミリ通信部１９と、ネットワーク通信部２０と、原稿送り装置制御部２１と、スキャナ部２２と、画像処理部２３と、プリンタ部２４と、外部メモリ接続部２５と、時計部２６とを接続して構成される。
【００３９】
ＣＰＵ１１は、ＲＯＭ１３に格納されているプログラムに基づいて複合機１０の動作を制御する。ＲＡＭ１４はＣＰＵ１１がプログラムを実行する際に各種データを一時的に格納するワークメモリとして使用されるほか、画像データを一時的に保存するための画像メモリなどにも使用される。
【００４０】
不揮発メモリ１５は、電源がオフされても記憶が保持されるメモリであり、装置固有の情報や各種の設定情報、ユーザの認証情報などが記憶される。ハードディスク装置１６は、複合機１０を動作させるオペレーティングシステム（Operating System；ＯＳ）や複合機１０の各種機能を動作させるアプリケーションプログラム、各種の保存データなどを格納するほか、原稿のスキャンやコピーにおける画像データ、クライアント端末から依頼された印刷における画像データ（印刷データ）なども保存する。
【００４１】
操作表示部１７は、各種の画面を表示する表示部としての機能と、ユーザなどが複合機１０に対して行う各種の操作を受け付ける操作部としての機能とを果たす。ここでは、操作表示部１７は液晶ディスプレイとその画面上に設けられたタッチパネル（以下では「タッチパネルディスプレイ」と呼ぶ）、各種のハードウェアボタンなどを備えている。
【００４２】
ユーザ認証入力部１８は、ユーザ認証を行うための認証情報の入力を受け付ける機能を果たす。ユーザ認証としては、たとえば、カード認証技術、生体認証技術、パスワード認証技術などの汎用の各種の認証技術を単独もしくは組み合わせて用いることができる。
【００４３】
カード認証技術は、ユーザの所有するＩＣ（Integrated Circuit）カードやＩＤ（Identification）カードなどに記憶されている認証用データを接触式または非接触式のカードリーダなどで読み取って、予め登録されている認証情報と照合し個人認証を行う認証技術である。生体認証技術は、ユーザの指紋や指静脈などの生体情報を認証用データとして生体認証ユニットなどで読み取って、予め登録されている認証情報と照合し個人認証を行う認証技術である。パスワード認証技術は、ユーザが認証用パスワードを操作表示部１７から入力して、予め登録されている認証情報と照合し個人認証を行う認証技術である。
【００４４】
ユーザ認証入力部１８は、カード認証技術を用いる場合にはカードリーダなどで構成される。生体認証技術を用いる場合には生体認証ユニットなどで構成される。パスワード認証技術を用いる場合には操作表示部１７に組み込まれるなどして構成される。
【００４５】
ファクシミリ通信部１９は、ファクシミリ機能を備えた外部装置と公衆回線を通じて通信する機能を果たす。ネットワーク通信部２０は、クライアント端末やサーバなどとＬＡＮ（Local Area Network）などのネットワークを通じて通信する機能を果たす。ネットワーク通信部２０による通信には、クライアント端末からの印刷データの受信、インターネットファクシミリ機能による電子メールの送受信、ファイル送信機能（Scan to E-mail／ＳＭＢ／ＦＴＰ機能）によるスキャンデータの送信などが含まれる。
【００４６】
原稿送り装置制御部２１は、図示しない自動原稿送り装置（Auto Document Feeder；ＡＤＦ）の動作を制御する機能を果たす。自動原稿送り装置は、スキャナ部２２による読取位置に原稿を自動で送り込む機能を備えている。たとえば、原稿が積載される原稿トレイと、原稿トレイに積載された原稿をスキャナ部２２の読取位置に案内し排出するための搬送通路と、原稿トレイに積載された原稿を１枚ずつ搬送通路に送り込み、スキャナ部２２の読取位置を通過させて搬送通路から排出する複数の搬送ローラと、スキャナ部２２による読み取りの済んだ原稿が搬送通路から排出される排出トレイなどで構成される。
【００４７】
スキャナ部２２は、原稿を光学的に読み取って画像データを取得する機能を果たす。たとえば、原稿に光を照射する光源と、原稿からの反射光を受光して原稿を幅方向に１ライン分読み取るイメージセンサと、原稿からの反射光をイメージセンサに導いて結像させるレンズやミラーからなる光学経路などで構成される。
【００４８】
画像処理部２３は画像データに対して、画像補正、回転、拡大／縮小、圧縮（圧縮暗号化）／伸張（伸張復号化）など各種の画像処理を施す機能を果たす。また、クライアント端末から受信した印刷データ（ベクタ形式のイメージデータ）に対してラスタライズ処理を施す（ラスタ形式へ変換する）機能を果たす。
【００４９】
プリンタ部２４は、入力された画像データに対応する画像を用紙に印刷して出力する機能を果たす。たとえば、用紙の搬送装置と、感光体ドラムと、帯電装置と、レーザーユニットと、現像装置と、転写分離装置と、クリーニング装置と、定着装置などを備え、電子写真プロセスによって用紙上に画像を形成するレーザープリンタなどとして構成される。
【００５０】
外部メモリ接続部２５は、ＵＳＢ（Universal Serial Bus）メモリなどの外部メモリが着脱可能に接続される。時計部２６は、時刻を刻む。
【００５１】
ＣＰＵ１１はプログラムを実行することで、操作表示部１７に設けられている後述のストップキーをジョブの開始から所定時間が経過するまではジョブを停止させる機能で動作させ、所定時間の経過後はジョブの設定に対する変更操作を受け付ける状態へ遷移させる機能で動作させる機能を果たす。また、所定時間を経過した後のストップキーの操作時点におけるジョブの進行状況に応じて、変更操作を受け付ける項目（設定項目）を変更する機能を果たす。また、ユーザ認証入力部１８で入力を受け付けた認証用データや認証用パスワードなどの認証情報と不揮発メモリ１５に記憶されている認証情報を照合してユーザ認証を行う機能を果たす。
【００５２】
上記の所定時間（閾値）は、任意の時間に設定することができる。たとえば、１０〜３０秒の範囲から選択することが好ましく、２０秒などにすることがより好ましい。また、一律の時間の他に、装置の処理能力から換算した時間やジョブの処理量（絶対量）に対応する時間などとしてもよい。換言すると、所定時間は、一律の時間や装置の処理能力から換算した時間やジョブの処理量に対応する時間などを含み、装置の処理能力やジョブの処理量などで規定するようにしてもよい。
【００５３】
装置の処理能力で所定時間を規定する場合は、たとえば、読み取り速度と印刷速度が同一であり、Ａ４サイズ（横方向給紙）に対し６０枚／分の処理能力（処理速度）を有する装置であれば、２０秒でＡ４サイズ（横方向給紙）なら２０枚、Ａ３サイズ（縦方向給紙）なら１０枚の処理が行われるため、このような用紙サイズと処理枚数を設定することで規定できる。また処理枚数については、複数の用紙サイズに対し、用紙サイズ毎に処理枚数を設定してもよく、１つの用紙サイズのみ処理枚数を設定し他の用紙サイズの処理枚数はサイズ比などから算出するようにしてもよい。
【００５４】
これにより、設定された用紙サイズ、設定された処理枚数（Ｎ）、および設定された用紙サイズに対する装置の処理能力（Ｐ）から、所定（一定）の処理時間（Ｔ）を算出できる（Ｔ＝Ｎ／Ｐ）。この処理時間が所定時間となり、ジョブの開始から所定時間が経過するタイミングは、設定された用紙サイズの用紙を設定された処理枚数分だけ処理したタイミングとなる。
【００５５】
また、上記の処理時間（所定時間）に処理する枚数は、処理条件に応じて変わる場合がある。処理時間に影響する処理条件は、たとえば、給紙方向、片面／両面、集約出力、倍率、解像度などである。そのため、処理時間に影響する処理条件の初期値もあわせて設定し、ユーザによる処理条件の設定値が初期値と異なる場合はその差異に応じて処理枚数を補正することが好ましい。この場合は、ジョブの開始から所定時間が経過するタイミングは、設定された用紙サイズの用紙を、設定された処理枚数を処理条件に応じて補正した処理枚数分だけ処理したタイミングとなる。このような補正を行うことで、処理条件が異なっても所定時間（処理時間）は一定となる。
【００５６】
ジョブの処理量（絶対量）としては、所定サイズの用紙の読み取り枚数や印刷枚数といった処理枚数、もしくは処理データ量などを用いることができる。ジョブの処理量で所定時間を規定する場合は、このような処理枚数や処理データ量を設定することで規定できる。また処理枚数については、複数の用紙サイズに対し、用紙サイズ毎に処理枚数を設定してもよく、１つの用紙サイズのみ処理枚数を設定し他の用紙サイズの処理枚数はサイズ比などから算出するようにしてもよい。
【００５７】
上記のようなジョブの処理量を用いる場合は、設定された処理量の処理に要する時間（所定（一定）の処理時間）が所定時間となり、ジョブの開始から所定時間が経過するタイミングは、設定された処理量分だけ処理したタイミングとなる。
【００５８】
また、処理量として処理枚数を用いて所定時間を規定する場合は、上述したような処理条件（給紙方向、片面／両面、集約出力、倍率、解像度など）の影響を受ける場合があるため、同様に処理枚数（所定サイズの用紙における単位時間当たりの処理枚数）に影響する処理条件の初期値もあわせて設定し、ユーザによる処理条件の設定値が初期値と異なる場合はその差異に応じて処理枚数を補正することが好ましい。この場合は、ジョブの開始から所定時間が経過するタイミングは、設定された処理枚数を処理条件に応じて補正した処理枚数分だけ処理したタイミングとなる。このような補正を行うことで、処理条件が異なっても所定時間は一定となる。
【００５９】
また、所定時間の閾値として設定する一律の時間、もしくは所定時間を規定する上記の用紙サイズと処理枚数、ジョブの処理量などは、管理者などが初期値（デフォルト設定）を変更できるようにしてもよい。
【００６０】
図２は、複合機１０に設けられた操作表示部１７の外観を示している。操作表示部１７は、タッチパネルディスプレイ３０と、ハードウェアボタンで構成された各種の操作キー（ハードウェアキー）を備えている。
【００６１】
操作キーは、プリンタモード（プリントモード）の選択を受け付けるプリンタボタン３１と、スキャナモード（スキャンモード）の選択を受け付けるスキャナボタン３２と、ファックスモード（ファクシミリモード）の選択を受け付けるファックスボタン３３と、コピーモードの選択を受け付けるコピーボタン３４と、ジョブの開始や再開の操作を受け付けるスタートキー３５と、上述したジョブの停止などの操作を受け付けるストップキー３６と、テンキー３７などである。
【００６２】
複合機１０は、上記のモード選択ボタン（プリンタボタン３１、スキャナボタン３２、ファックスボタン３３、コピーボタン３４）が押下されると、操作表示部１７のタッチパネルディスプレイ３０にその選択されたモードの設定画面を表示して各種の設定を受け付ける。
【００６３】
プリンタモードやコピーモードの設定画面では、印刷に関する各種の項目（印刷条件）の設定、たとえば、濃度設定、片面／両面選択、用紙サイズ選択、倍率設定、部数設定などを受け付ける。ファックスモードの設定画面では、ファクシミリ送信に関する各種の項目（送信条件）の設定、たとえば、送信宛先設定、予約送信および送信時刻の設定などを受け付ける。スキャナモードの設定画面では、原稿の読み取りに関する各種の項目（読取条件）の設定や、読み取った画像データ（スキャンデータ）の出力先の選択、詳細には、Scan to E-mail、Scan to ＳＭＢ、Scan to ＢＯＸ、外部メモリなどの選択を受け付ける。
【００６４】
複合機１０でのジョブの設定は、上記の設定画面を通して行われる。またジョブには、画像データの入力処理（入力プロセス）や出力処理（出力プロセス）を含む各種のジョブがある。入力処理は、画像データの読取処理（読取プロセス）や受信処理（受信プロセス）などであり、出力処理は、画像データの印刷処理（印刷プロセス）、送信処理（送信プロセス）、保存処理（保存プロセス）などである。
【００６５】
次に、複合機１０の動作について説明する。
【００６６】
図３〜図６は、複合機１０におけるジョブ処理の流れを示している。上述したように、複合機１０はジョブの開始から所定時間を経過した後にストップキー３６が操作されるとジョブの設定に対する変更操作を受け付ける状態へ遷移する。ここでは、印刷処理を含むジョブであるプリントジョブやコピージョブにおける部数（出力部数）の変更と、出力処理を含むジョブにおける出力先の追加を例に説明する。部数変更については、図３〜図５に示し、出力先追加については、図３、図５、図６に示している。
【００６７】
［部数変更］（図３〜図５参照）
先ず、プリントジョブやコピージョブの部数変更について説明する。複合機１０のＣＰＵ１１は、ジョブの投入を受け付けると本処理を開始し（Ｓｔａｒｔ）、ジョブを開始すると（ステップＳ１０１）、ジョブを開始した時点を基準に時間の計測を開始する（ステップＳ１０２）。
【００６８】
プリントジョブでは、クライアント端末からの印刷データの受信がジョブの投入となり、印刷データに対する印刷処理の開始がジョブの開始となる。認証プリントのジョブにおいては、ユーザ認証入力部１８から入力された認証情報に基づいてユーザ認証を行い、認証したユーザによる操作表示部１７を通したプリンタモードの選択（プリンタボタン３１の押下）および実行するプリントジョブの指定などを受け付けた後のスタートキー３５の押下がジョブの開始となる。
【００６９】
プリントジョブを開始すると、印刷処理として、印刷データに対する画像処理部２３による画像処理およびプリンタ部２４による印刷出力を行う。
【００７０】
コピージョブでは、ユーザによる自動原稿送り装置への原稿のセットと操作表示部１７を通したコピーモードの選択（コピーボタン３４の押下）およびコピーに関する各種の設定などを受け付けた後のスタートキー３５の押下がジョブの投入および開始となる。
【００７１】
コピージョブを開始すると、読取処理として、自動原稿送り装置による原稿の自動送り込みおよびスキャナ部２２による原稿の読み取り（スキャン）を行い、印刷処理として、スキャナ部２２による原稿の読み取りで取得された画像データに対する画像処理部２３による画像処理およびプリンタ部２４による印刷出力を行う。
【００７２】
ジョブの開始時点を基準とする時間の計測については、時計部２６が出力する時刻情報に基づいて行う。
【００７３】
ＣＰＵ１１は、ジョブおよび時間の計測を開始すると、ジョブが完了するまでストップキー３６の押下を監視し（ステップＳ１０３；Ｎｏ〜ステップＳ１０４；Ｎｏのループ）、ジョブが完了すると（ステップＳ１０４；Ｙｅｓ）、本処理を終了する（Ｅｎｄ）。
【００７４】
ジョブが完了するまでの間にストップキー３６が押下された場合には（ステップＳ１０３；Ｙｅｓ）、ＣＰＵ１１は、ジョブを開始してからの経過時間が閾値（所定時間）以上であるか否かを判断する（ステップＳ１０５）。
【００７５】
閾値未満の場合には（ステップＳ１０５；Ｎｏ）、ＣＰＵ１１は、ジョブを停止し（ステップＳ１０６）、ジョブを再開する操作（スタートキー３５の押下）およびジョブを削除（キャンセル）する操作を監視する（ステップＳ１０７；Ｎｏ〜ステップＳ１０８；Ｎｏのループ）。
【００７６】
ジョブの再開操作を受け付けた場合には（ステップＳ１０７；Ｙｅｓ）、ジョブを再開して（ステップＳ１０９）、ステップＳ１０４へ移行する。ジョブの削除操作を受け付けた場合には（ステップＳ１０８；Ｙｅｓ）、ジョブを削除して（ステップＳ１１０）、本処理を終了する（Ｅｎｄ）。
【００７７】
ジョブを開始してからの経過時間が閾値以上である場合には（ステップＳ１０５；Ｙｅｓ）、ＣＰＵ１１は、ジョブの進行状況を確認し（ステップＳ１１１）、現時点でジョブの設定が変更できるか否かを判断する（ステップＳ１１２）。
【００７８】
ジョブの設定が変更不可である場合には（ステップＳ１１２；Ｎｏ）、ステップＳ１０６へ移行してジョブを停止し、それ以降の処理ステップを行う。ジョブの設定が変更可能である場合には（ステップＳ１１２；Ｙｅｓ）、ＣＰＵ１１は、ジョブを停止せずに複合機１０をジョブの設定に対する変更操作を受け付ける状態へ遷移させ、ジョブにおける複数の設定項目の中から現時点で変更可能な設定項目を抽出し（ステップＳ１１３）、操作表示部１７に抽出した設定項目の選択ボタンをメニュー形式などで表示する（ステップＳ１１４）。
【００７９】
変更可能な設定項目は、プリントジョブでは部数（増加または減少）などである。コピージョブでは、スキャン完了後に印刷を開始する場合（部単位印刷や逆ページ順印刷など）で、印刷出力開始前（スキャン中）であれば、印刷、後加工、排紙先などに関する各種の設定項目、たとえば、用紙サイズ、印刷面（片面／両面）、濃度、倍率、部数（増加または減少）、ステイプル、パンチ、排紙トレイなどである。印刷出力開始後（スキャン完了後）であれば部数（増加または減少）などである。
【００８０】
抽出した設定項目に部数が含まれている場合は、操作表示部１７に部数の選択ボタンが表示される。この選択ボタンが押下されて部数が選択された場合には（図４のステップＳ２０１；Ｙｅｓ）、ＣＰＵ１１は、操作表示部１７に部数変更画面を表示する（ステップＳ２０２）。ここでジョブを停止させる操作（ストップキー３６の押下など）を受け付けた場合には（ステップＳ２０３；Ｎｏ）、ステップＳ１０６へ移行してジョブを停止し、それ以降の処理ステップを行う。
【００８１】
部数変更の操作を受け付け（ステップＳ２０３；Ｙｅｓ）、変更内容が部数の増加である場合には（ステップＳ２０４；Ｙｅｓ）、ＣＰＵ１１は、ジョブの情報に変更された部数を反映し（ステップＳ２０５）、ジョブを続行してステップＳ１０４へ移行する。
【００８２】
変更内容が部数の減少である場合には（ステップＳ２０４；Ｎｏ）、ＣＰＵ１１は、変更後の部数が印刷完了済みの部数より多いか否かを判断する（ステップＳ２０６）。多い場合には（ステップＳ２０６；Ｙｅｓ）、ＣＰＵ１１は、ジョブの情報に変更された部数を反映し（ステップＳ２０５）、ジョブを続行してステップＳ１０４へ移行する。変更後の部数が印刷完了済みの部数以下である場合には（ステップＳ２０６；Ｎｏ）、ＣＰＵ１１は、印刷処理を終了してジョブを終了し（ステップＳ２０７）、本処理を終了する（Ｅｎｄ）。
【００８３】
また、操作表示部１７に表示された部数以外の設定項目の選択ボタンが押下された場合には（図４のステップＳ２０１；Ｎｏ）、ＣＰＵ１１は、操作表示部１７にその選択された設定項目の変更画面を表示する（図５のステップＳ３０１）。ここでジョブを停止させる操作（ストップキー３６の押下など）を受け付けた場合には（ステップＳ３０２；Ｎｏ）、ステップＳ１０６へ移行してジョブを停止し、それ以降の処理ステップを行う。
【００８４】
変更画面を表示した設定項目（選択された設定項目）に対する変更操作を受け付けた場合には（ステップＳ３０２；Ｙｅｓ）、ＣＰＵ１１は、その変更操作に応じた変更処理を行い（ステップＳ３０３）、ジョブの情報に変更された内容を反映し（ステップＳ３０４）、ジョブを続行してステップＳ１０４へ移行する。
【００８５】
図７は、図３のステップＳ１０６で操作表示部１７のタッチパネルディスプレイ３０に表示されるジョブの中断画面４０を示している。
【００８６】
中断画面４０には、中断されたジョブの再開および削除に関する操作方法を示すメッセージ４１と、中断されたジョブに関する表示を行っていることを示す中断ジョブタブ４２と、中断されたジョブを示す中断ジョブ表示欄４３と、ジョブを削除する操作を受け付ける削除ボタン４４などが表示される。
【００８７】
ここでスタートキー３５を押下すると、中断画面４０の中断ジョブ表示欄４３に表示されている中断ジョブが再開される。中断ジョブ表示欄４３の表示領域を押下して中断ジョブを選択し、削除ボタン４４を押下すると、中断ジョブが削除（キャンセル）される。
【００８８】
図８は、図３のステップＳ１１４で操作表示部１７のタッチパネルディスプレイ３０に表示されるメニュー画面５０を示している。
【００８９】
メニュー画面５０には、ジョブにおける設定の変更や停止に関する操作方法を示すメッセージ５１と、設定の変更に関する表示を行っていることを示す設定変更タブ５２と、変更可能な設定項目として表示されている本例では設定項目Ａ、Ｂ、Ｃ、Ｄを選択する操作を受け付ける選択ボタン（設定項目ボタン）５３、５４、５５、５６と、選択した設定項目を確定する操作を受け付けるＯＫボタン５７と、ジョブを停止する操作を受け付けるストップボタン５８（図中では「ＳＴＯＰ」と表示）などが表示される。
【００９０】
ここで選択ボタン５３、５４、５５、５６のいずれかを押下して設定項目Ａ、Ｂ、Ｃ、Ｄのいずれかを選択し、ＯＫボタン５７を押下すると、選択が確定されその設定項目を変更するための変更画面に切り替われる。ストップボタン５８を押下すると、ジョブが停止する。
【００９１】
図９は、図４のステップＳ２０２で操作表示部１７のタッチパネルディスプレイ３０に表示される部数変更画面６０を示している。
【００９２】
部数変更画面６０には、部数の変更およびジョブの停止に関する操作方法を示すメッセージ６１と、設定に関する表示を行っていることを示す設定タブ６２と、変更後の部数が表示される部数表示欄６３と、変更後の部数を確定する操作を受け付けるＯＫボタン６４と、ジョブを停止する操作を受け付けるストップボタン６５（図中では「ＳＴＯＰ」と表示）などが表示される。
【００９３】
ここでテンキー３７を操作して部数の変更値を入力すると、入力した変更値が部数表示欄６３に表示される。ＯＫボタン６４を押下すると、入力した変更値が確定され部数がその変更値に変更される。ストップボタン６５を押下すると、ジョブが停止する。
【００９４】
［出力先追加］（図３、図５、図６参照）
次に、画像データの出力処理を含むジョブの出力先追加について説明する。
【００９５】
出力処理の対象となる画像データには、原稿の読み取りで取得された原稿の画像データと、複合機１０のＢＯＸに保存されているファイルの画像データと、複合機１０の外部メモリ接続部２５に接続された外部メモリに保存されているファイルの画像データなどがある。
【００９６】
画像データの出力処理を含むジョブには、画像データに対応する画像を印刷して出力する印刷処理を含むジョブと、画像データをＢＯＸや外部メモリなどの出力先（保存先）に保存する保存処理を含むジョブと、画像データを出力先（送信先）にファクシミリ送信したり、電子メールに添付してファクシミリ送信したり（インターネットファクシミリ送信）、電子メールに添付して送信したり（Scan to E-mail送信）、クライアント端末に送信したり（Scan to ＳＭＢ送信）する送信処理を含むジョブなどがある。
【００９７】
複合機１０のＣＰＵ１１は、ジョブの投入を受け付けると本処理を開始し（Ｓｔａｒｔ）、ジョブを開始する（ステップＳ１０１）。
【００９８】
原稿の画像データを出力する場合には、ユーザによる自動原稿送り装置への原稿のセットと操作表示部１７を通した出力モードの選択およびその出力モードにおける各種の設定などを受け付けた後のスタートキー３５の押下がジョブの投入および開始となる。複合機１０のＢＯＸや複合機１０に接続された外部メモリに保存されているファイルの画像データを出力する場合には、ユーザによる操作表示部１７を通した出力モードの選択とファイルの指定およびその出力モードにおける各種の設定などを受け付けた後のスタートキー３５の押下がジョブの投入および開始となる。
【００９９】
出力モードの選択は、原稿のコピーを行う場合はコピーボタン３４の押下となる。ファイルの印刷（プリント）を行う場合はプリンタボタン３１の押下となる。原稿やファイルのファクシミリ送信を行う場合はファックスボタン３３の押下となる。ＢＯＸや外部メモリへの原稿の画像データの保存、原稿やファイルのインターネットファクシミリ送信、Scan to E-mail送信、Scan to ＳＭＢ送信などを行う場合はスキャナボタン３２の押下となる。
【０１００】
ジョブの開始以降は、前述した図３のステップＳ１０２〜ステップＳ１１４を行う。
【０１０１】
この場合のステップＳ１１３で抽出される変更可能な設定項目は、印刷処理を含むジョブでは、印刷出力開始前であれば、印刷、後加工、排紙先などに関する各種の設定項目、出力先（保存先や送信先の追加）、出力方式（印刷出力から保存や送信への変更）などである。印刷出力開始後であれば、部数（増加または減少）、出力先（保存先や送信先の追加）などである。
【０１０２】
保存処理を含むジョブでは、保存開始前であれば、出力先（印刷出力や送信先の追加）、出力方式（保存から印刷出力や送信への変更）などである。保存開始後であれば、出力先（印刷出力や送信先の追加）などである。
【０１０３】
送信処理を含むジョブでは、送信開始前であれば、送信宛先（追加や削除）、出力先（印刷出力や保存先の追加）、出力方式（送信から印刷出力や保存への変更）、予約送信時刻（タイマー予約）などである。送信開始後であれば、送信宛先（追加）、出力先（印刷出力や送信先の追加）などである。
【０１０４】
図３のステップＳ１１３で、抽出した設定項目に出力先追加が含まれている場合は、ステップＳ１１４で、操作表示部１７に出力先追加の選択ボタンが表示される。この選択ボタンが押下されて出力先追加が選択された場合には（図６のステップＳ４０１；Ｙｅｓ）、ＣＰＵ１１は、操作表示部１７に出力先追加画面を表示する（ステップＳ４０２）。ここでジョブを停止させる操作（ストップキー３６の押下など）を受け付けた場合には（ステップＳ４０３；Ｎｏ）、ステップＳ１０６へ移行してジョブを停止し、それ以降の処理ステップを行う。
【０１０５】
出力先追加の操作を受け付け（ステップＳ４０３；Ｙｅｓ）、追加内容が印刷である場合には（ステップＳ４０４；Ｙｅｓ）、ＣＰＵ１１は、設定された条件で画像データの印刷処理を開始し（ステップＳ４０５）、ステップＳ１０４へ移行する。追加内容が保存である場合には（ステップＳ４０４；Ｎｏ→ステップＳ４０６；Ｙｅｓ）、ＣＰＵ１１は、指定された保存先への画像データの保存処理を開始し（ステップＳ４０７）、ステップＳ１０４へ移行する。追加内容が送信である場合には（ステップＳ４０６；Ｎｏ）、ＣＰＵ１１は、指定された送信先への画像データの送信処理を開始し（ステップＳ４０８）、ステップＳ１０４へ移行する。
【０１０６】
また、操作表示部１７に表示された出力先追加以外の設定項目の選択ボタンが押下された場合には（図６のステップＳ４０１；Ｎｏ）、前述した図５の処理ステップを行う。
【０１０７】
図１０は、図６のステップＳ４０２で操作表示部１７のタッチパネルディスプレイ３０に表示される出力先追加画面７０を示している。
【０１０８】
出力先追加画面７０には、ジョブにおける出力先の追加や停止に関する操作方法を示すメッセージ７１と、追加する出力先として印刷（プリント）を選択する操作を受け付けるプリントタブ７２と、追加する出力先として保存を選択する操作を受け付ける保存タブ７３と、追加する出力先として送信を選択する操作を受け付ける送信タブ７４と、ジョブを停止する操作を受け付けるストップボタン７５（図中では「ＳＴＯＰ」と表示）などが表示される。
【０１０９】
ここでプリントタブ７２を押下して選択すると、図１１に示すプリント追加画面７６に切り替わる。保存タブ７３を押下して選択すると、図１２に示す保存先追加画面８０に切り替わる。送信タブ７４を押下して選択すると、図１３に示す送信先追加画面８６に切り替わる。ストップボタン７５を押下すると、ジョブが停止する。
【０１１０】
図１１に示すように、プリント追加画面７６には、印刷の設定および開始やジョブの停止に関する操作方法を示すメッセージ７７と、印刷における各種の設定項目を選択する操作を受け付ける選択ボタン（設定項目ボタン）７８と、選択した設定項目を確定して印刷（プリント）を開始（追加確定）する操作を受け付けるプリント開始ボタン７９と、図１０で説明したプリントタブ７２、保存タブ７３、送信タブ７４、ストップボタン７５などが表示される。
【０１１１】
ここで所望の選択ボタン７８を押下して印刷に関する設定を行い、プリント開始ボタン７９を押下すると、設定された条件で印刷が開始される。ストップボタン７５を押下すると、ジョブが停止する。また、保存タブ７３を押下すると保存先追加画面８０に切り替わり（図１２参照）、送信タブ７４を押下すると送信先追加画面８６に切り替わる（図１３参照）。
【０１１２】
図１２に示すように、保存先追加画面８０には、保存先の指定やジョブの停止に関する操作方法を示すメッセージ８１と、保存先として、本例では共有ＢＯＸを指定する操作を受け付ける共有ＢＯＸボタン８２と、個人ＢＯＸを指定する操作を受け付ける個人ＢＯＸボタン８３と、外部メモリを指定する操作を受け付ける外部メモリボタン８４と、指定した保存先を確定して保存を開始（追加確定）する操作を受け付ける保存開始ボタン８５と、図１０で説明したプリントタブ７２、保存タブ７３、送信タブ７４、ストップボタン７５などが表示される。
【０１１３】
ここで所望の共有ＢＯＸボタン８２、個人ＢＯＸボタン８３、外部メモリボタン８４を押下して保存先を指定し、保存開始ボタン８５を押下すると、指定した保存先への画像データの保存が開始される。ストップボタン７５を押下すると、ジョブが停止する。また、プリントタブ７２を押下するとプリント追加画面７６に切り替わり（図１１参照）、送信タブ７４を押下すると送信先追加画面８６に切り替わる（図１３参照）。
【０１１４】
図１３に示すように、送信先追加画面８６には、送信先の指定やジョブの停止に関する操作方法を示すメッセージ８７と、送信先として、本例ではファクシミリ送信を指定する操作を受け付けるファックスボタン８８（図中では「ＦＡＸ」と表示）と、インターネットファクシミリ送信を指定する操作を受け付けるインターネットファックスボタン８９（図中では「Ｉ−ＦＡＸ」と表示）と、Scan to E-mail送信を指定する操作を受け付けるScan to E-mailボタン９０と、Scan to ＳＭＢ送信を指定する操作を受け付けるScan to ＳＭＢボタン９１と、指定した送信先を確定して送信を開始（追加確定）する操作を受け付ける送信開始ボタン９２と、図１０で説明したプリントタブ７２、保存タブ７３、送信タブ７４、ストップボタン７５などが表示される。
【０１１５】
ここで所望のファックスボタン８８、インターネットファックスボタン８９、Scan to E-mailボタン９０、Scan to ＳＭＢボタン９１を押下して送信先を指定し、送信開始ボタン９２を押下すると、指定した送信先への画像データの送信が開始される。ストップボタン７５を押下すると、ジョブが停止する。また、プリントタブ７２を押下するとプリント追加画面７６に切り替わり（図１１参照）、保存タブ７３を押下すると保存先追加画面８０に切り替わる（図１２参照）。
【０１１６】
以上説明したように、本実施の形態に係る複合機１０では、ジョブの開始から所定時間が経過するまでは、ストップキー３６がジョブを停止させる機能で動作する。この期間にストップキー３６を押下してジョブが停止されると、そのジョブが操作表示部１７に中断ジョブとして表示され（図７参照）、削除または再開できるようになる。ジョブの開始から所定時間を経過した後は、ストップキー３６が複合機１０をジョブの設定に対する変更操作を受け付ける状態へ遷移させる機能で動作する。この期間にストップキー３６を押下すると、ジョブを続行したまま設定を変更できるようになる。
【０１１７】
たとえば、図３〜図１０で説明したように、原稿のスキャン中やプリント中などに部数の誤りに気が付いたり、出力先を追加したい場合などに、ジョブの開始から所定時間が経過していれば、ストップキー３６の押下によって、ジョブをキャンセルすることなく続行したまま部数の訂正や出力先の追加を行うことができる。これにより、所定時間を超えて行われた大量スキャンなどを最初からやり直す必要がなくなり、ユーザに与える負担（ストレス）や無駄（ロス）を低減できるようになる。
【０１１８】
特に、原稿の読取処理を含むジョブでは、途中でキャンセルしてやり直すことになると、原稿を揃え直して自動原稿送り装置にセットし直すなどの手間が掛かる。また、原稿の全枚数に対して読み取りに係る給紙から排紙までの物理的な動作が完了するのを再び待たなければならなくなると、ユーザに与える負担や無駄も大きくなり、大量スキャンをやり直すようなことになるとそれらの悪影響が更に大きくなる。このようなジョブに対し、途中でキャンセルすることなく設定の誤りを訂正できることは好適である。
【０１１９】
このように、ジョブを開始してからの経過時間に応じてストップキー３６の機能を切り替えることにより、ジョブを開始してからの処理量（経過時間）に応じた操作機能を操作キーを増やすことなくユーザに提供することができ、ユーザはストップキー３６を操作するだけで、処理が開始されたジョブに対し操作時点での処理量に応じた適切な操作機能を使用できるようになる。したがって、処理が開始されたジョブに対して操作を行う上での操作性や利便性が向上する。
【０１２０】
また、ジョブの開始から所定時間の経過後にストップキー３６が押下されると、その時点におけるジョブの進行状況に応じて、変更操作を受け付ける項目（設定項目）を変更する。詳細には、上述したように、変更可能な項目を抽出してその項目のみを表示することにより、変更可能な項目のみ変更操作を受け付けるようにする。
【０１２１】
これにより、変更不可能な項目に対して無駄な操作が行われるようなことを回避でき、ジョブの設定を変更する上での操作性や利便性が向上する。特に、変更操作を受け付ける項目のみを表示することで、ユーザは処理中（進行中）のジョブに対し現時点で変更できる項目の把握や選択が容易に行えるようになる。
【０１２２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２３】
たとえば、実施の形態ではストップキー３６を例に説明したが、他の操作キー（ハードウェアキー）でもかまわない。また、ストップキーを含む各種の操作キーが有する機能（第１および第２の機能）についても、実施の形態で説明した機能に限らない。
【０１２４】
たとえば、スタートキーとストップキーを兼用したスタート／ストップキーなどを、ジョブが開始される前はジョブを開始させる機能で動作させ、ジョブの開始から所定時間が経過するまではジョブを停止させるまたは削除する機能（第１の機能）で動作させ、所定時間の経過後はジョブの設定に対する変更操作を受け付ける状態へ遷移させる機能（第２の機能）で動作させるなどしてもよい。
【０１２５】
また、実施の形態ではストップキーをジョブの開始から所定時間が経過するまではジョブを停止させる機能で動作させるようにしているが、これに替えてジョブを削除する機能で動作させるようにしてもよい。この場合は、図３に示したフローチャートでは、ステップＳ１０６〜ステップＳ１０９が省略され、ステップＳ１０５からステップＳ１１０へ移行するような流れとなる。
【０１２６】
また、実施の形態では主に処理中のジョブに対して設定を変更する場合を説明したが、待機中のジョブや予約されたジョブに対して設定を変更できるようにしてもよい。その場合は、たとえば、図７に示した中断画面４０に、待機中や予約されたジョブのリストを表示するためのタブ（待機ジョブタブや予約ジョブタブなど）を表示し、そのタブが押下されるとジョブリスト画面に切り替えて待機中や予約されたジョブをリスト表示する。そして、このジョブリスト画面上で選択されたジョブに対し、設定の変更を受け付けるなどしてもよい。
【０１２７】
また、実施の形態では複合機１０がジョブの設定に対する変更操作を受け付ける状態へ遷移する際に、処理中のジョブを停止させずに続行するようにしているが、状態遷移に伴い停止（一時停止）させるようにしてもよい。
【０１２８】
また、この処理中のジョブの続行／停止は、所定の条件に応じて切り替えるようにしてもよい。所定の条件は、たとえば、ジョブを開始してからの経過時間、ジョブの処理量、ジョブの進行状況、ユーザの選択したジョブの設定項目などである。これらの条件によっては、設定を変更する上でジョブを停止させた方がよい、もしくは、ジョブを停止させなくてもかまわない（続行しても影響が少ない）場合などがあるため、所定の条件に応じて処理中のジョブの続行／停止制御を行うようにしてもよい。
【０１２９】
実施の形態で説明した部数変更や出力先追加は、ユーザの選択したジョブの設定項目である。これらの条件はジョブを停止させずに設定の変更を受け付けても影響が少ないため、上述したように続行したまま設定の変更を受け付けるようにしている。このように、処理中のジョブを停止させずに設定の変更を受け付ける場合は生産性の低下が抑えられる。
【０１３０】
また、図３のフローチャートにおけるステップＳ１１４では、図８に示したように変更可能な設定項目のみを表示することで、変更可能な設定項目を容易に把握（識別）できるようにしているが、表示の仕方はこれに限らない。たとえば、通常の設定画面にて変更不可の設定項目をグレイアウトで表示し（非アクティブ化）、グレイアウトされていない設定項目のみが変更可能であることを識別できるように表示するなどしてもよい。
【０１３１】
また、ステップＳ１１３での抽出による結果、変更可能な設定項目が１つしかない場合には、図８に示したようなメニュー画面に遷移せずにその設定項目の設定変更画面に直接遷移するようにしてもよい（ステップＳ１１４を省略）。
【０１３２】
また、変更を受け付ける設定項目がデフォルトで１つ、もしくは、ジョブ種毎に１種類にされているような場合は、変更可能な設定項目を抽出したり、抽出した設定項目の選択ボタンをメニュー表示したりする必要はないため、それらを行わないようにしてもよい（ステップＳ１１３／Ｓ１１４を削除）。すなわち、ジョブの進行状況を確認した結果（ステップＳ１１１）、デフォルトの設定項目を変更できると判断した場合に（ステップＳ１１２；Ｙｅｓ）、その設定項目の設定変更画面に遷移するようにしてもよい。
【０１３３】
また、ジョブを停止させて変更を受け付けるように構成されている場合や、ジョブを停止させずに変更を受け付けても影響が少ない設定項目（部数変更や出力先追加など）のみ変更を受け付けるように構成されている場合などには、ジョブの進行状況確認および設定変更の可否判断の必要性が低いため、それらを行わないようにしてもよい（ステップＳ１１１／Ｓ１１２を削除）。
【０１３４】
また、実施の形態では複合機１０がユーザ認証機能を備えており、複合機１０のＣＰＵ１１がユーザ認証（個人認証）を行うようにしているが、ユーザ認証は複合機１０とネットワークで接続された認証サーバなどが行うようにしてもよい（サーバ認証）。たとえば、複合機１０はユーザ認証入力部１８で入力を受け付けた認証情報をネットワーク通信部２０からネットワークを通じて認証サーバに送信しユーザ認証を依頼する。認証サーバは、複合機１０から受信した認証情報と予め登録されている認証情報を照合してユーザ認証を行い、その結果（認証許可／認証不許可）をネットワークを通じて依頼元の複合機１０に返信するようにしてもよい。
【０１３５】
また、実施の形態に係る複合機１０ではタッチパネル式の操作表示部１７が操作部と表示部の機能を兼ね備えているが、この操作部と表示部とは個別に構成するようにしてもよい。複合機１０におけるプリンタ部２４は、レーザ光に代えてＬＥＤ（Light Emitting Diode）で感光体ドラムを走査露光するＬＥＤプリンタなどの他の方式のプリンタとしてもよい。
【０１３６】
また本発明は、実施の形態で説明した複合機に限らず、複写機やファクシミリ機などの他の画像処理装置にも適用可能である。
【図面の簡単な説明】
【０１３７】
【図１】本発明の実施の形態に係る画像処理装置としての複合機の概略構成を示すブロック図である。
【図２】本発明の実施の形態に係る複合機の操作表示部の外観を示す図である。
【図３】本発明の実施の形態に係る複合機が行うジョブ処理を示す流れ図である。
【図４】本発明の実施の形態に係る複合機が行うジョブ処理における部数を変更する処理ステップを示す流れ図である。
【図５】本発明の実施の形態に係る複合機が行うジョブ処理における他の設定項目を変更する処理ステップを示す流れ図である。
【図６】本発明の実施の形態に係る複合機が行うジョブ処理における出力先を追加する処理ステップを示す流れ図である。
【図７】図２の操作表示部に表示されるジョブの中断画面を示す図である。
【図８】図２の操作表示部に表示される変更可能な設定項目のメニュー画面を示す図である。
【図９】図２の操作表示部に表示される部数変更画面を示す図である。
【図１０】図２の操作表示部に表示される出力先追加画面を示す図である。
【図１１】図２の操作表示部に表示されるプリント追加画面を示す図である。
【図１２】図２の操作表示部に表示される保存先追加画面を示す図である。
【図１３】図２の操作表示部に表示される送信先追加画面を示す図である。
【符号の説明】
【０１３８】
１０…複合機（ＭＦＰ）
１１…ＣＰＵ
１２…バス
１３…ＲＯＭ
１４…ＲＡＭ
１５…不揮発メモリ
１６…ハードディスク装置（ＨＤＤ）
１７…操作表示部
１８…ユーザ認証入力部
１９…ファクシミリ通信部
２０…ネットワーク通信部
２１…原稿送り装置制御部
２２…スキャナ部
２３…画像処理部
２４…プリンタ部
２５…外部メモリ接続部
２６…時計部
３０…タッチパネルディスプレイ
３１…プリンタボタン
３２…スキャナボタン
３３…ファックスボタン
３４…コピーボタン
３５…スタートキー
３６…ストップキー
３７…テンキー
４０…中断画面
４１…メッセージ
４２…中断ジョブタブ
４３…中断ジョブ表示欄
４４…削除ボタン
５０…メニュー画面
５１…メッセージ
５２…設定変更タブ
５３、５４、５５、５６…選択ボタン（設定項目ボタン）
５７…ＯＫボタン
５８…ストップボタン
６０…部数変更画面
６１…メッセージ
６２…設定タブ
６３…部数表示欄
６４…ＯＫボタン
６５…ストップボタン
７０…出力先追加画面
７１…メッセージ
７２…プリントタブ
７３…保存タブ
７４…送信タブ
７５…ストップボタン
７６…プリント追加画面
７７…メッセージ
７８…選択ボタン（設定項目ボタン）
７９…プリント開始ボタン
８０…保存先追加画面
８１…メッセージ
８２…共有ＢＯＸボタン
８３…個人ＢＯＸボタン
８４…外部メモリボタン
８５…保存開始ボタン
８６…送信先追加画面
８７…メッセージ
８８…ファックスボタン
８９…インターネットファックスボタン
９０…Scan to E-mailボタン
９１…Scan to ＳＭＢボタン
９２…送信開始ボタン
【図１】
2010028372.tif 000003
【図２】
2010028372.tif 000004
【図３】
2010028372.tif 000005
【図４】
2010028372.tif 000006
【図５】
2010028372.tif 000007
【図６】
2010028372.tif 000008
【図７】
2010028372.tif 000009
【図８】
2010028372.tif 000010
【図９】
2010028372.tif 000011
【図１０】
2010028372.tif 000012
【図１１】
2010028372.tif 000013
【図１２】
2010028372.tif 000014
【図１３】
2010028372.tif 000015